(57)【要約】【課題】本発明は一対のフレーム、一対のレンズ、ノーズブリッジ及び一対のテンプルを備える眼鏡に関する。【解決手段】各フレームは外側に上部凸形状縁部及び下部凸形状縁部を備える。上部凸形状縁部は上部開口部を有し、一方、下部凸形状縁部は下部開口部を有する。レンズはフレームに固定され、ノーズブリッジは２つのフレームの間に接続される。フレーム、レンズ及びノーズブリッジは一体化して形成される。各テンプルは、フロントエンドに上部段差部及び下部段差部を備える。上部段差部は、上部開口部に挿入されるための上部ピンを有し、下部段差部は、下部開口部に挿入するための下部ピンを有する。この設計は組み立てを容易にし、ねじを必要としない。組み合わせによる組み立てで変更された部品を用いることによって、眼鏡は２つの異なった方法で機能することができる。【選択図】図３
2008276016.tif 000002
【特許請求の範囲】
【請求項１】
外側に上部凸形状縁部及び下部凸形状縁部をそれぞれ有する一対のフレームであって、前記上部凸形状縁部は上部開口部を備え、一方、前記下部凸形状縁部は下部開口部を備え、上部開口部の中心軸及び下部開口部の中心軸は、同一直線上に位置している、一対のフレームと、
前記フレームに固定された一対のレンズと、
前記フレーム間に位置し、前記フレームを接続しているノーズブリッジであって、前記フレーム、前記レンズ及び前記ノーズブリッジが一体化して形成された、ノーズブリッジと、
それぞれがフロントエンドに上部段差部及び下部段差部を有する一対のテンプルであって、前記上部段差部は、前記上部凸形状縁部の上部開口部に挿入された上部ピンを有し、一方、前記下部段差部は、前記下部凸形状縁部の下部開口部に挿入された下部ピンを有し、前記上部ピンの中心軸及び前記下部ピンの中心軸は、同一直線上に位置している、一対のテンプルと、
を備えていることを特徴とする眼鏡。
【請求項２】
前記フレームが、前記ノーズブリッジの下方の位置における下部係合縁部、及び前記ノーズブリッジの上方の位置における上部係合縁部を備えていることを特徴とする請求項１に記載の眼鏡。
【請求項３】
上部溝及び下部溝を有しているノーズパッドを更に備え、前記上部溝は前記フレームの前記上部係合縁部に係合され、前記下部溝は前記フレームの前記下部係合縁部に係合されていることを特徴とする請求項２に記載の眼鏡。
【請求項４】
リングフレーム部及びノーズパッド部を有している内部フレームを更に備え、前記リングフレーム部及び前記ノーズパッド部は一体化して形成され、前記リングフレーム部の輪郭が前記フレームの輪郭に対応し、前記リングフレーム部は前記フレームと係合されており、前記ノーズパッド部は前記ノーズブリッジの上部又は下方の所定位置で係合されていることを特徴とする請求項１に記載の眼鏡。
【請求項５】
前記内部フレームに取り付けられたスポンジを更に備えていることを特徴とする請求項４に記載の眼鏡。
【請求項６】
一対のリングフレーム部及びノーズパッド部を備える内部フレームを更に備え、前記リングフレーム部及び前記ノーズパッド部が一体化して形成され、前記リングフレーム部の輪郭は前記フレームの輪郭に対応し、各リングフレーム部は、外側に係合部を備え、上部凸形状縁部と下部凸形状縁部との間のノッチ部と係合し、前記ノーズパッド部が上部溝及び下部溝を備え、前記上部溝が前記フレームの前記上部係合縁部と係合し、前記下部溝が前記フレームの前記下部係合縁部と係合されていることを特徴とする請求項２に記載の眼鏡。
【請求項７】
前記内部フレームに取り付けられたスポンジを更に備えていることを特徴とする請求項６に記載の眼鏡。
【請求項８】
各テンプルがそのフロントエンドに開口部を有していることを特徴とする請求項１に記載の眼鏡。
【請求項９】
各テンプルの前記フロントエンドにそれぞれ係合された一対の留め具フレームを更に備えていることを特徴とする請求項８に記載の眼鏡。
【請求項１０】
前記留め具フレームに接続された眼鏡ストラップを更に備えていることを特徴とする請求項９に記載の眼鏡。
【請求項１１】
各留め具フレームが主打ち抜き部、埋め込み部及び後方開口部を備え、前記主打ち抜き部は対応するテンプルを通過させるために使用され、前記埋め込み部は前記テンプルのフロントエンドで前記開口部と係合され、前記後方開口部は眼鏡ストラップを通過させるために使用されていることを特徴とする請求項９に記載の眼鏡。
【請求項１２】
前記上部ピンの長さが前記下部ピンの長さと異なっていることを特徴とする請求項１に記載の眼鏡。
【請求項１３】
外側に上部凸形状縁部及び下部凸形状縁部をそれぞれ有する一対のフレームであって、前記上部凸形状縁部は上部開口部を備え、一方、前記下部凸形状縁部は下部開口部を備え、上部開口部の中心軸及び下部開口部の中心軸は、同一直線上に位置している、一対のフレームと、
前記フレームに固定された一対のレンズと、
前記フレーム間に位置し、前記フレームを接続しているノーズブリッジであって、前記フレーム、前記レンズ及び前記ノーズブリッジが一体化して形成され、前記フレームが、前記ノーズブリッジの下方の所定位置に下部係合縁部、及び前記ノーズブリッジの上部の所定位置に上部係合縁部を備えている、ノーズブリッジと、
一対のリングフレーム部及びノーズパッド部を有する内部フレームであって、前記リングフレーム部及び前記ノーズパッド部は一体化して形成され、前記リングフレーム部の輪郭は前記フレームの輪郭と対応し、前記リングフレーム部は前記フレームと係合されており、前記ノーズパッド部は前記ノーズブリッジの上方又は下方の所定位置で係合されている、内部フレームと、
それぞれがフロントエンドに上部段差部及び下部段差部を有する一対のテンプルであって、前記上部段差部は、前記上部凸形状縁部の上部開口部に挿入された上部ピンを有し、一方、前記下部段差部は、前記下部凸形状縁部の下部開口部に挿入された下部ピンを有し、前記上部ピンの中心軸及び前記下部ピンの中心軸は、同一直線上に位置している、一対のテンプルと、
それぞれが主打ち抜き部、埋め込み部及び後方開口部を有する一対の留め具フレームであって、前記主打ち抜き部は対応するテンプルを通過させるために使用され、前記埋め込み部は前記テンプルのフロントエンドで前記開口部と係合され、前記後方開口部は眼鏡ストラップを通過させるために使用されている、留め具フレームと、
を備えていることを特徴とする眼鏡。
【請求項１４】
前記内部フレームに取り付けられたスポンジを更に備えていることを特徴とする請求項１３に記載の眼鏡。
【請求項１５】
各リングフレーム部は、外側に係合部を備え、上部凸形状縁部と下部凸形状縁部との間のノッチ部と係合し、前記ノーズパッド部が上部溝及び下部溝を備え、前記上部溝が前記フレームの前記上部係合縁部と係合し、前記下部溝が前記フレームの前記下部係合縁部と係合されていることを特徴とする請求項１３に記載の眼鏡。
【請求項１６】
前記上部ピンの長さが前記下部ピンの長さと異なっていることを特徴とする請求項１３に記載の眼鏡。
【発明の詳細な説明】
【技術分野】
【０００１】
本発明は、多機能眼鏡に関する。より具体的には、本発明は、２つの異なった方法で機能することができる眼鏡に関する。
【背景技術】
【０００２】
現在、様々な種類の眼鏡がある。しかしながら、眼鏡は、通常、単一の用途又は機能だけを有している。例えば、工業用安全眼鏡は、スクラップ、半田又は操作中に飛散されたその他の破片によって傷つけられることからの保護のみを提供することができる。さもなければ、例えば、車用眼鏡は、運転中に砂粒によって傷つけられることからの保護のみを提供することができる。上記の２種類の眼鏡は、追加的な機能を有していない。さらに、従来の眼鏡は、フレーム上にテンプルを固定するためにねじを使用している。特定の仕様を有している場合、ねじは特別なねじ回しによって締め付けられなければならず、不便である。
【０００３】
それ故に、上記の問題を解決するための多機能眼鏡を提供する必要がある。
【発明の開示】
【課題を解決するための手段】
【０００４】
本発明の目的は、一対のフレーム、一対のレンズ、ノーズブリッジ（nose bridge）及び一対のテンプル（temples）を備えた眼鏡を提供することである。各前記フレームは、外側に上部凸形状縁部及び下部凸形状縁部を有している。前記上部凸形状縁部は、上部開口部を有し、一方、前記下部凸形状縁部は下部開口部を有している。前記上部開口部の中心軸及び前記下部開口部の中心軸は、同一直線上に位置している。前記レンズは、各前記フレームに固定され、前記ノーズブリッジは２つのフレームの間に位置しており、前記フレームに接続している。前記フレーム、前記レンズ及び前記ノーズブリッジは、一体化して形成されている。各前記テンプルは、そのフロントエンドに上部段差部（bump）及び下部段差部を有している。前記上部段差部は、前記上部凸形状縁部の前記上部開口部に挿入するための上部ピンを有し、前記下部段差部が前記下部凸形状縁部の前記下部開口部に挿入するために下部ピンを有している。前記上部ピンの中心軸及び前記下部ピンの中心軸は同一直線上に位置している。それ故、本発明は、組み立てを容易にし、ねじを必要としない。
【０００５】
さらに、上述した眼鏡がノーズパッド（nose pad）を用いて組み立てられた場合、工業用安全眼鏡が形成される。内部フレーム、一対の留め具フレーム（clasp frames）及び眼鏡ストラップを用いて組み立てられた場合、車用眼鏡が形成される。それ故に、組み合わせによる組み立てで変更された部品を用いることによって、眼鏡は２つの異なった方法で機能することができる。
【発明を実施するための最良の形態】
【０００６】
図１は、本発明の第１の実施形態における多機能眼鏡の分解斜視図である。図２は、図１の部分拡大図である。眼鏡１は、一対のフレーム１２、一対のレンズ１４、ノーズブリッジ１６、一対のテンプル１８及びノーズパッド２０を備えている。
【０００７】
各フレーム１２は、外側に上部凸形状縁部１２１、下部凸形状縁部、ノッチ部１２５、下部係合縁部１２６及び上部係合縁部１２７を有している。上部凸形状縁部１２１は、上部開口部１２３を備え、一方、下部凸形状縁部は下部開口部１２４を有備えている。上部開口部１２３の中心軸及び下部開口部１２４の中心軸は、同一線上に位置している。好ましくは、上部開口部１２３は、上部凸形状縁部１２１を貫通し、下部開口部１２４は、下部凸形状縁部１２２を貫通する。ノッチ部１２５は、上部凸形状縁部１２１と下部凸形状縁部１２２との間に位置している。下部係合縁部１２６は、ノーズブリッジ１６の下方のフレーム１２の位置に位置している。上部係合縁部１２７は、ノーズブリッジ１６の上方のフレーム１２の位置に位置している。
【０００８】
レンズ１４は、フレーム１２にそれぞれ固定されている。ノーズブリッジ１６はフレーム１２の間に位置し、フレーム１２に接続されている。本発明において、レンズ１４及びノーズブリッジ１６は一体化して形成され、これらの材料は好ましくはプラスチックである。
【０００９】
各テンプル１８は、フロントエンドの上部段差部１８１、下部段差部１８２及び開口部１８３を有している。上部段差部１８１は、上部凸形状縁部１２１の上部開口部１２３に挿入された上部ピン１８４を有している。下部段差部１８２は、上部凸形状縁部１２２の上部開口部１２４に挿入された上部ピン１８５を有している。上部ピン１８４の中心軸及び下部ピン１８５の中心軸は、同一直線上に位置している。開口部１８３は、上部段差部１８１と下部段差部１８２の間に位置している。
【００１０】
この実施形態において、上部ピン１８４の長さは、下部ピン１８５の長さと異なっている。好ましくは、下部ピン１８５の長さは、上部ピン１８４の長さよりも長い。それ故に、組み立てる際、下部ピン１８５は、最初に斜めに下部凸形状縁部１２２の下部開口部１２４に挿入され、次いでテンプル１８のフロントエンドが（上部段差部１８１と下部段差部１８２との間の開口部１８３を狭くするために）しっかりと押圧される。それ結果、上部ピン１８４は、上部凸形状縁部１２１の上部開口部１２３に挿入され、テンプル１８のフロントエンドは、テンプル１８をフレーム１２に係合させる状態から解放される。この設計は、組み立てを簡単にさせ、ねじを必要としない。
【００１１】
ノーズパッド２０は、上部溝２０１及び下部溝２０２を備えている。上部溝２０１は、フレーム１２の上部係合縁部１２７と係合され、一方、下部溝２０２は、フレーム１２の下部係合部１２６と係合されている。
【００１２】
図３は、本発明の一の実施形態における多機能眼鏡の組み立て斜視図である。上記の様式で組み立てられた後、この実施形態の眼鏡１は工業用安全眼鏡であり、それは、スクラップ、半田又は操作している間に他の飛散された破片によって傷つけられることからの保護を提供することができる。
【００１３】
図４は、本発明の第２の実施形態における多機能眼鏡の分解斜視図である。眼鏡３は、一対のフレーム１２、一対のレンズ１４、ノーズブリッジ１６、一対のテンプル１８、内部フレーム２２、一対の留め具フレーム２４及び眼鏡ストラップ２６を備えている。
【００１４】
この実施形態では、フレーム１２、レンズ１４、ノーズブリッジ１６及びテンプル１８は、（図１及び図２を参照すると）第１の実施形態のそれらにそれぞれ同一である。
【００１５】
各フレーム１２は、外側に上部凸形状縁部１２１、下部凸形状縁部１２２、ノッチ部１２５、下部係合縁部１２６及び上部係合縁部１２７を有している。上部凸形状縁部１２１は、上部開口部１２３を備え、一方、下部凸形状縁部１２２は、下部開口部１２４を備えている。上部開口部１２３の中心軸及び下部開口部１２４の中心軸は、同一直線上に位置している。好ましくは、上部開口部１２３が上部凸形状縁部１２１を貫通し、一方、下部開口部１２４は下部凸形状縁部１２２を貫通する。ノッチ部１２５は上部凸形状縁部１２１と下部凸形状縁部１２２との間に位置している。下部係合縁部１２６は、ノーズブリッジ１６の下方のフレーム１２の位置に位置している。上部係合縁部１２７は、ノーズブリッジ１６の上方のフレーム１２の位置に位置している。
【００１６】
レンズ１４は、フレーム１２にそれぞれ固定される。ノーズブリッジ１６は、フレーム１２の間に位置し、フレーム１２に接続されている。本発明において、フレーム１２、レンズ１４及びノーズブリッジ１６は一体化して形成され、これらの材料は、好ましくはプラスチックである。
【００１７】
各テンプル１８は、フロントエンドに上部段差部１８１、下部段差部１８２及び開口部１８３を有している。上部段差部１８１は、上部凸形状縁部１２１の上部開口部１２３に挿入される上部ピン１８４を有している。下部段差部１８２は、下部凸形状縁部１２２の下部開口部１２４に挿入された下部ピン１８５を有している。上部ピン１８４の中心軸及び下部ピン１８５の中心軸は、同一直線上に位置している。開口部１８３は、上部段差部１８１と下部段差部１８２との間に位置している。
【００１８】
この実施形態において、上部ピン１８４の長さは、下部ピン１８５の長さと異なっている。好ましくは、下部ピン１８５の長さは上部１８４の長さよりも長い。それ故、組み立てる間に、下部ピン１８５は、最初に斜めに下部凸形状縁部１２２の下部開口部１２４に挿入され、テンプル１８のフロントエンドは、（上部段差部１８１と下部段差部１８２との間の開口部１８３を狭くするために）しっかりと押圧される。その結果、上部ピン１８４は、上部凸形状縁部１２１の上部開口部１２３に挿入され、テンプル１８のフロントエンドは、テンプル１８をフレーム１２に係合させる状態から解放される。この設計は、組み立てを簡単にし、ねじを必要としない。
【００１９】
内部フレーム２２は、一対のリングフレーム部２２１及びノーズパッド部２２２を備えている。リングフレーム部２２１及びノーズパッド部２２２は一体化して形成され、これらの材料は好ましくはプラスチックである。リングフレーム部２２１の輪郭は、フレーム１２の輪郭に対応しており、リングフレーム部２２１はフレーム１２に係合されている。ノーズパッド部２２２はノーズブリッジ１６の上方又は下方に係合されている。この実施形態において、各リングフレーム部２２１は外側に係合部２２５を有し、上部凸形状縁部１２１と下部凸形状縁部１２２との間のノッチ部１２５に係合されている。ノーズパッド２２２は、上部溝２２３及び下部溝２２４を備え、上部溝２２３はフレーム１２の上部係合縁部１２７に係合され、下部溝２２４はフレーム１２の下部係合縁部１２６に係合されている。
【００２０】
好ましくは、スポンジは、内部フレーム２２の内側に接着され（図示せず）、スポンジの輪郭は、内部フレーム２２の輪郭に対応する。
【００２１】
留め具フレーム２４は、各テンプル１８のフロントエンドにそれぞれ係合されている。この実施形態において、各留め具フレーム２４は、主打ち抜き部（main perforation）２４１、埋め込み部（embedded body）２４２及び後方開口部２４３を備えている。主打ち抜き部２４１は、通過させるためにテンプル１８に使用され、埋め込み部２４２はテンプル１８のフロントエンドで開口部１８３に係合されている。後方開口部２４３は、通過させるために眼鏡ストラップ２６に使用されている。眼鏡ストラップ２６は、留め具フレーム２４に接続され、好ましくはゴムバンドである。
【００２２】
図５は、本発明の第２の実施形態における多機能眼鏡の組み立て斜視図である。上記の様式に組み立てられた後、この実施形態の眼鏡３は、車用眼鏡であり、それは運転中に砂粒によって傷つけられることからの保護を提供することができる。
【００２３】
本発明は下記の利点を有している。第１に、フレーム１２、レンズ１４及びノーズブリッジ１６は一体化して形成され、テンプル１８、内部フレーム２２、ノーズパッド２０及び留め具２４は、射出成形によって直接形成することができ、それらの構成要素の製造効率は、とても高い。第２に、本発明において、テンプル１８は、ねじを使用することなくフレーム１２に係合され、使用するためにとても便利である。第３に、本発明において、内部フレーム２２及び留め具フレーム２４が組み立てられず、ノーズパッド２０がフレーム１２に組み立てられた場合、工業用安全眼鏡は（図３に図示したように）形成され、最適な強度で目を保護する構造を有している。それどころか、本発明において、ノーズパッド２０が取り外された場合、内部フレーム２２及び留め具フレーム２４は、フレーム１２に組み立てられ、眼鏡ストラップ２６は留め具フレーム２４に接続され、車用眼鏡は（図５に示したように）形成され、強風中に落下しない。それ故に、本発明の眼鏡は２つの異なった方法で機能することができる。
【００２４】
本発明の様々な実施形態が図示され記述されたけれども、様々な改良や改善が当業者によってなされ得る。従って本発明の実施形態は説明目的に過ぎないものであって、限定的に解釈されるべきものではない。本発明は図示された特定の形態に限定されることを意図するものではなく、本発明の精神及び技術的範囲を逸脱しない全ての改変は、添付の特許請求の範囲で定義された技術的範囲に属するものである。
【図面の簡単な説明】
【００２５】
【図１】本発明の第１の実施形態における多機能眼鏡の分解斜視図である。
【図２】図１の部分拡大図である。
【図３】本発明の第１の実施形態における多機能眼鏡の組み立て斜視図である。
【図４】本発明の第２の実施形態における多機能眼鏡の分解斜視図である。
【図５】本発明の第２の実施形態における多機能眼鏡の組み立て斜視図である。
【符号の説明】
【００２６】
１  眼鏡
３  眼鏡
１２  フレーム
１４  レンズ
１６  ノーズブリッジ
１８  テンプル
２０  ノーズパッド
２２  内部フレーム
２４  留め具フレーム
２６  眼鏡ストラップ
１２１  上部凸形状縁部
１２２  下部凸形状縁部
１２３  上部開口部
１２４  下部開口部
１２５  ノッチ部
１２６  下部係合縁部
１２７  上部係合縁部
１８１  上部段差部
１８２  下部段差部
１８３  開口部
１８４  上部ピン
１８５  下部ピン
２０１  上部溝
２０２  下部溝
２２１  リングフレーム部
２２２  ノーズパッド部
２２３  上部溝
２２４  下部溝
２２５  係合部
２４１  主打ち抜き部
２４２  埋め込み部
２４３  後方開口部
【図１】
2008276016.tif 000003
【図２】
2008276016.tif 000004
【図３】
2008276016.tif 000005
【図４】
2008276016.tif 000006
【図５】
2008276016.tif 000007
【外国語明細書】
2008276016.tif 000008
2008276016.tif 000009
2008276016.tif 000010
2008276016.tif 000011
2008276016.tif 000012
2008276016.tif 000013
2008276016.tif 000014
2008276016.tif 000015
2008276016.tif 000016
2008276016.tif 000017
2008276016.tif 000018
2008276016.tif 000019
2008276016.tif 000020
2008276016.tif 000021
2008276016.tif 000022
2008276016.tif 000023
2008276016.tif 000024